(57)【要約】【課題】  駆動回路の駆動方法の提供。【解決手段】  本発明の駆動回路の駆動方法によると、先ず選択規則に基づき少なくとも二つのゲートドライバより第１ゲートドライバを選出し、第１ゲートドライバに第Ａ列のゲート線より順に、現在のフレーム中の所定の列数部分の図形画像を表示させる。続いて、選択規則に基づき、少なくとも二つのゲートドライバより第２ゲートドライバを選出し、並びに第２ゲートドライバに第Ａ列から所定間隔距離を隔たった第Ｂ列のゲート線より、所定列数部分の且つ暗調整したイメージ画像を同時に表示させ、第Ｂ列の所定列数の画素点を暗くする。暗調整したイメージ画像とは、先のフレームのもとの１／Ｎの画素値のイメージ画像とされる。【選択図】        図４
2006047750.tif 000002
【特許請求の範囲】
【請求項１】
駆動回路の駆動方法によると、該駆動回路中の複数のデータドライバと少なくとも二つのゲートドライバにより、液晶パネルを駆動し、該液晶パネルの一つの画素点が該データドライバに接続された一つのデータ線と該ゲートドライバに接続された一つのゲート線で構成され、イメージ画像の少なくとも一列の画素点に対応する駆動電圧が該データ線より入力される時、該ゲートドライバが該ゲート線より入力されたゲート駆動信号により該イメージ画像をストライプ方式で液晶パネルに表示し、該駆動方法は、
選択規則に基づき少なくとも二つのゲートドライバより第１ゲートドライバを選出し、第１ゲートドライバに第Ａ列のゲート線より順に、現在のフレーム中の所定の列数部分の図形画像を表示させるステップと、
選択規則に基づき、少なくとも二つのゲートドライバより第２ゲートドライバを選出し、並びに第２ゲートドライバに第Ａ列から所定間隔距離隔たった第Ｂ列のゲート線より、所定列数部分の且つ暗調整されたイメージ画像を同時に表示させるステップと、
を具え、暗調整されたイメージ画像とは前のフレーム中のもとの画素値の画素値の１／Ｎの画素値のイメージ画像を指すことを特徴とする、駆動回路の駆動方法。
【請求項２】
請求項１記載の駆動回路の駆動方法によると、Ｎは０以上の正の整数とされたことを特徴とする、駆動回路の駆動方法。
【請求項３】
請求項１記載の駆動回路の駆動方法によると、選択規則では、データドライバの出力する駆動電圧に現在のフレーム中の所定列数部分のイメージ画像、即ち該駆動電圧が代表するイメージ画像を液晶パネルに表示させるゲートドライバを、第１ゲートドライバと称することを特徴とする、駆動回路の駆動方法。
【請求項４】
請求項１記載の駆動回路の駆動方法によると、選択規則では、データドライバの出力する駆動電圧が前のフレーム中の所定列数部分の且つ暗調整されたイメージ画像、即ち該駆動電圧の代表するイメージ画像を液晶パネルに表示させるゲートドライバを第２ゲートドライバと称することを特徴とする、駆動回路の駆動方法。
【請求項５】
請求項１記載の駆動回路の駆動方法によると、第１ゲートドライバと第２ゲートドライバに接続されたゲート線が固定数値とされたことを特徴とする、駆動回路の駆動方法。
【請求項６】
請求項５記載の駆動回路の駆動方法によると、所定間隔距離が固定数値以上とされたことを特徴とする、駆動回路の駆動方法。
【請求項７】
請求項１記載の駆動回路の駆動方法によると、データドライバに別に暗調整制御線が接続されて暗調整信号を受け取り、データドライバが暗調整されたイメージ画像の駆動電圧を出力する時、該データドライバは該暗調整信号によりその内部の全部のデータドライバに保存された画素データをもとの画素値の１／Ｎの画素値となし、該データドライバの出力する駆動電圧により暗調整されたイメージ画像が表示されることを特徴とする、駆動回路の駆動方法。
【発明の詳細な説明】
【技術分野】
【０００１】
本発明は駆動回路の駆動方法に係り、特に正常と暗調整が相互に交替する方式で液晶パネルを駆動する方法に関する。
【背景技術】
【０００２】
図１から図３は周知のプセウドインパルスドライブ（Ｐｓｅｕｄｏ  Ｉｍｐｕｌｓｅ
Ｄｒｉｖｅ；ＰＩＤ）の表示図である。図１に示される特許文献１の駆動回路の駆動方法は一種のＰＩＤの駆動方法であり、この方法は正常なイメージ画像１０及びフルブラックのイメージ画像２０を相互に交替するよう表示し、ＣＲＴパルスシュミレートを達成し、ＣＲＴの表示画質に接近或いはそれを超越するものとされている。
【０００３】
具体的にはこのようなＰＩＤＳは選択規則に基づきそのうちの一つのゲートドライバを第１ゲートドライバとして選出し、並びにもう一つのゲートドライバを第２ゲートドライバとして選出し、並びに第１ゲートドライバと第２ゲートドライバにより正常なイメージ画像１０とフルブラックのイメージ画像２０の一方を表示する。
【０００４】
正常なイメージ画像１０が図１に示される第１列より、続いて順に１１列まで走査される時、フルブラックのイメージ画像２０も同様に２４０列の所定間隔距離を保持し、第２４１列より２５１列まで走査され、これは図２に示されるとおりである。こうして第１ゲートドライバと第２ゲートドライバに接続されたゲート線が走査される時、第１ゲートドライバと第２ゲートドライバは相互に相手が行なう走査動作を交換して行なう。言い換えると、第２４１列で正常なイメージ画像１０を表示し、第１列でフルブラックのイメージ画像２０を表示し、これは図３に示されるとおりである。
【０００５】
図３に示されるように、第２４１列の正常なイメージ画像１０を表示する前に、図１に示されるのと同様に、第２４１列でフルブラックのイメージ画像２０が表示済みで、こうして第２４１列の画素点はいずれも事前にフルブラックのイメージ画像２０の目標値の駆動電圧に回復している。ゆえに、第１ゲートドライバとされるゲートドライバが第２４１列にイメージ画像１０のストライプ部分を入力した後に、第２４１列の各画素点の電圧変化はＣＲＴスクリーンのようなパルス状を現出し、ゆえにＣＲＴパルス状模擬の目的が達成される。
【０００６】
しかし、上述のＰＩＤ方式で液晶スクリーンを駆動する時、液晶スクリーンの更新率がただ６０Ｈｚしかない状況では、フルブラックのイメージ画像２０表示と正常なイメージ画像１０表示の時に、このような変化周波数のために、人の眼で認識される表示フレームにフリッカー現象が発生しやすい。このほか、正常なイメージ画像１０表示の前に、先ずフルブラックのイメージ画像２０を表示することは液晶スクリーンの輝度をもとの５０％まで低下させる。ゆえにこのようなＰＩＤ駆動液晶スクリーンを採用するときは、大幅にバックライトの発光効率を高めて輝度の損失を補う必要がある。
【０００７】
【特許文献１】台湾特許出願第０９３１０２４３１号明細書
【発明の開示】
【発明が解決しようとする課題】
【０００８】
本発明の主要な目的は、一種の駆動回路の駆動方法を提供することにあり、それはＰＩＤの形成するフリッカー現象を防止できる方法であるものとする。
【０００９】
本発明の別の目的は、一種の駆動回路の駆動方法を提供することにあり、それはＰＩＤの形成する輝度低下過多の問題を防止し、高い発光効率のバックライトを採用するためにかかる余分のコストを免除できる方法であるものとする。
【００１０】
本発明は一種の駆動回路の駆動方法を提供し、それによると、先ず、選択規則に基づき少なくとも二つのゲートドライバより第１ゲートドライバを選出し、第１ゲートドライバに第Ａ列のゲート線より順に、現在のフレーム中の所定の列数部分の図形画像を表示させる。続いて、選択規則に基づき、少なくとも二つのゲートドライバより第２ゲートドライバを選出し、並びに第２ゲートドライバに第Ａ列から所定間隔距離を隔たった第Ｂ列のゲート線より、所定列数部分で且つ暗調整したイメージ画像を同時に表示させ、第Ｂ列の所定列数の画素点を暗くする。暗調整したイメージ画像とは先のフレームのもとの画素値の１／Ｎの画素値のイメージ画像とされる。
【課題を解決するための手段】
【００１１】
請求項１の発明は、駆動回路の駆動方法によると、該駆動回路中の複数のデータドライバと少なくとも二つのゲートドライバにより、液晶パネルを駆動し、該液晶パネルの一つの画素点が該データドライバに接続された一つのデータ線と該ゲートドライバに接続された一つのゲート線で構成され、イメージ画像の少なくとも一列の画素点に対応する駆動電圧が該データ線より入力される時、該ゲートドライバが該ゲート線より入力されたゲート駆動信号により該イメージ画像をストライプ方式で液晶パネルに表示し、該駆動方法は、  選択規則に基づき少なくとも二つのゲートドライバより第１ゲートドライバを選出し、第１ゲートドライバに第Ａ列のゲート線より順に、現在のフレーム中の所定の列数部分の図形画像を表示させるステップと、
選択規則に基づき、少なくとも二つのゲートドライバより第２ゲートドライバを選出し、並びに第２ゲートドライバに第Ａ列から所定間隔距離隔たった第Ｂ列のゲート線より、所定列数部分の且つ暗調整されたイメージ画像を同時に表示させるステップと、
を具え、暗調整されたイメージ画像とは前のフレーム中のもとの画素値の画素値の１／Ｎの画素値のイメージ画像を指すことを特徴とする、駆動回路の駆動方法としている。
請求項２の発明は、請求項１記載の駆動回路の駆動方法によると、Ｎは０以上の正の整数とされたことを特徴とする、駆動回路の駆動方法としている。
請求項３の発明は、請求項１記載の駆動回路の駆動方法によると、選択規則では、データドライバの出力する駆動電圧に現在のフレーム中の所定列数部分のイメージ画像、即ち該駆動電圧が代表するイメージ画像を液晶パネルに表示させるゲートドライバを、第１ゲートドライバと称することを特徴とする、駆動回路の駆動方法としている。
請求項４の発明は、請求項１記載の駆動回路の駆動方法によると、選択規則では、データドライバの出力する駆動電圧が前のフレーム中の所定列数部分の且つ暗調整されたイメージ画像、即ち該駆動電圧の代表するイメージ画像を液晶パネルに表示させるゲートドライバを第２ゲートドライバと称することを特徴とする、駆動回路の駆動方法としている。
請求項５の発明は、請求項１記載の駆動回路の駆動方法によると、第１ゲートドライバと第２ゲートドライバに接続されたゲート線が固定数値とされたことを特徴とする、駆動回路の駆動方法としている。
請求項６の発明は、請求項５記載の駆動回路の駆動方法によると、所定間隔距離が固定数値以上とされたことを特徴とする、駆動回路の駆動方法としている。
請求項７の発明は、請求項１記載の駆動回路の駆動方法によると、データドライバに別に暗調整制御線が接続されて暗調整信号を受け取り、データドライバが暗調整されたイメージ画像の駆動電圧を出力する時、該データドライバは該暗調整信号によりその内部の全部のデータドライバに保存された画素データをもとの画素値の１／Ｎの画素値となし、該データドライバの出力する駆動電圧により暗調整されたイメージ画像が表示されることを特徴とする、駆動回路の駆動方法としている。
【発明の効果】
【００１２】
本発明の駆動回路の駆動方法はＰＩＤの形成するフリッカー現象を防止できる方法であり、且つ、ＰＩＤの形成する輝度低下過多の問題を防止し、高い発光効率のバックライトを採用するためにかかる余分のコストを免除できる方法である。
【発明を実施するための最良の形態】
【００１３】
図４から図６は本発明の駆動回路の駆動方法の表示図である。図４に示されるように、本発明の駆動回路の駆動方法によると、暗調整されたイメージ画像３０を図１から図３に示されるフルブラックのイメージ画像２０の代わりに採用している。このほか、本発明の駆動方法中の他の部分は前述の特許文献１に記載の方法と同じである。しかし、本発明は大幅にフリッカー現象と輝度が低くなり過ぎる問題を改善できる。
【００１４】
暗調整されたイメージ画像３０は前のフレーム中のもとの画素値の１／Ｎの画素値のイメージ画像を指し、且つＮの数値は０以上の正の整数とされる。具体的には、もし図６に示される第１列の暗調整されたイメージ画像３０を表示したい時は、図４に示される第１列の正常なイメージ画像１０の画素値に１／Ｎを乗算した後に暗調整されたイメージ画像３０の画素値となす。
【００１５】
このＮ値が大きくなるほど表示される暗調整されたイメージ画像３０はフルブラックのイメージ画像２０に接近し、反対にＮ値が小さくなるほど、表示される暗調整されたイメージ画像３０は伝統的なホールドタイプ（ｈｏｌｄ  ｔｙｐｅ）の液晶スクリーンに接近する。ゆえに、Ｎ値の大きさをいかに決定するかが、その表示効果をホールドタイプのものより良好とするか否かを決定する。ただしフリッカー現象と輝度が過度に低くなってもフルブラックのイメージ画像２０の時より厳重にはならない。
【００１６】
同様に、本発明の駆動回路の駆動方法は選択規則に基づき、そのうちの一つのゲートドライバを第１ゲートドライバとして選出し、並びにもう一つのゲートドライバを第２ゲートドライバとして選出し、並びに第１ゲートドライバと第２ゲートドライバにより正常なイメージ画像１０と暗調整されたイメージ画像３０の一方を表示する。
【００１７】
選択規則中より選出される第１ゲートドライバは、データドライバ７０が出力する駆動電圧を、現在のフレーム中の所定列数部分のイメージ画像として、即ち駆動電圧が代表するイメージとして液晶パネルに表示するものを第１ゲートドライバと称するのである。選択規則中より選出される第２ゲートドライバは、データドライバ７０の出力する駆動電圧を、所定列数部分の且つ暗調整されたイメージ画像として、即ち駆動電圧が代表するイメージとして液晶パネルに表示するものを第２ゲートドライバと称するのである。
【００１８】
図４に示されるように、液晶スクリーンの解析度が６４０×４８０の時、第１ゲートドライバにより第１列に正常なイメージ画像１０を表示し、並びに第２４１列に暗調整されたイメージ画像３０を表示する。続いて、正常なイメージ画像１０が続いて順に走査されて１１列に至る時、各正常なイメージ画像１０が一列表示された後、暗調整されたイメージ画像３０も同様に２４０列の所定間隔距離を保持し、第２４１列から第２５１列まで走査され、これは図５に示されるようである。こうして第１ゲートドライバと第２ゲートドライバが接続されたゲート線がいずれも上述の走査を終えた時、第１ゲートドライバと第２ゲートドライバが相互に交換され相手の行なう走査動作を行なう。言い換えると、第１ゲートドライバにより第２４１列に正常なイメージ画像１０を表示し、第１列に暗調整されたイメージ画像３０を表示し、これは図６に示されるとおりである。
【００１９】
総合すると、本発明の提供する駆動回路の駆動方法は、暗調整されたイメージ画像３０をフルブラックのイメージ画像２０の代わりに採用し、暗調整されたイメージ画像３０のＮ値を調整することで、ＰＩＤを採用することで形成するフリッカー現象を防止すると共に、ＰＩＤを採用することにより形成される輝度の過度の低下を防止し、これにより高い発光効率のバックライトを採用することによる余分の費用の増加を免除する。
【００２０】
図７は本発明の別の駆動回路の駆動方法の表示図である。それによると、図４から図６に示される方法では所定列数が１とされていたのとは異なり、所定列数が２とされている。同様に、第１ゲートドライバが第１列のゲート線より順に２列の、例えば図７に示されるように、第１列と第２列のゲート線の正常なイメージ画像１０がストライプ部分を表示する。続いて、第２ゲートドライバが第１列と２４０列隔たった第２４１列及び第２列と同様に２４０列隔たった第２４２列のゲート線に、所定列数が２の暗調整されたイメージ画像３０を同時に表示する。言い換えると、図７に示されるように、走査順序は第１が第１列の表示で、第２は第２列の表示、第３は第２４１列と第２４２列の同時表示である。続く表示方法は図４から図６に示されるものと同様に続いて行なわれる。
【００２１】
図４と図７を比較して分かることは、所定列数が１つ多い図７では、同時に第２４１列と第２４２列の暗調整されたイメージ画像３０が表示され、ゆえに、僅かに３つの垂直クロック信号周期内で、第１列、第２列、第２４１列、第２４２列の表示動作が完成し、これは図４の４個の垂直クロック信号周期よりも１つの垂直クロック信号周期よりも少ない。以上の説明に基づき、理論上、所定列数を増せば必要なクロック信号周期を減らすことができる。特に、所定列数を固定ゲート数と同じまで増やし、並びに所定列数と固定ゲート線数が同じとされる時、必要なクロック信号周期は周知のＬＣＤが必要とするものに非常に接近する。
【００２２】
図８、図９は本発明の暗調整されたイメージ画像のデータドライバへの入力の表示図である。図８、９に示されるように、周知のデータドライバ７０の基本構造中には、少なくとも、複数組のデジタル／アナログ変換器８０とデータ記録器８２が設けられている。各データドライバ７０に接続が必要なデータ線、デジタル／アナログ変換器８０、及びデータ記録器８２は、いずれも液晶パネルの解析度により決定される。
【００２３】
本発明の採用する駆動方法中、正常なイメージ画像１０のほか、暗調整されたイメージ画像３０の表示が増加され、これによりデータドライバ７０の走査周波数は周知の技術の２倍とされ、これにより電磁干渉を発生しやすくなり、且つデータ周波数幅の要求が増す。ゆえに暗調整されたイメージ画像３０を表示するためにデータドライバ７０の走査周波数が増すのを防止するため、データドライバ７０に別に暗調整制御線が接続されて暗調整信号を受け取る。
【００２４】
図８に示されるように、暗調整制御線はデータ記録器８２に接続される。これにより、データドライバ７０が暗調整されたイメージ画像３０を表示するための駆動電圧を出力する時、データドライバ７０中のデータ記録器８２がこの暗調整信号を受け取ると、データ記録器８２中に暫時保存した画素データをもとの１／Ｎ画素値となす。こうして調整されたデジタル信号は、デジタル／アナログ変換器８０に入力される時、その出力する駆動電圧は、暗調整されたイメージ画像３０に対応する。これにより、先に暗調整されたイメージ画像３０をデータ記録器８２に保存する必要がなく、すでに保存された画素データを改変することにより、同様に暗調整信号により間接的にデータドライバ７０の出力する駆動電圧を暗調整されたイメージ画像３０を表示できる。
【００２５】
図９に示されるように暗調整制御線は、データ記録器８２とデジタル／アナログ変換器８０の間に接続される。これにより、データドライバ７０が暗調整されたイメージ画像３０の駆動電圧を出力する時、データ記録器８２とデジタル／アナログ変換器８０の間のいずれの装置（デジタル／アナログ変換器８０を含む）であってもこの暗調整信号を受け取る時、入力されたデジタル／アナログ変換器８０のデジタル信号、即ち画素データを、もとの１／Ｎ値の画素値となすことができる。もとの１／Ｎの画素値とされた後、デジタル／アナログ変換器８０によりアナログ信号に変換される。こうして、先に暗調整されたイメージ画像３０をデータ記録器８２に暫時保存する必要がなく、暗調整信号により間接的にデータドライバ７０の出力する駆動電圧で暗調整されたイメージ画像３０を表示できる。
【００２６】
以上の好ましい具体的実施例の説明は、本発明の特徴と精神を説明するためのものであり、本発明の範疇を制限するものではない。本発明の説明及び図面の記載に基づきなしうる細部の修飾或いは改変は、いずれも本発明の請求範囲に属するものとする。
【図面の簡単な説明】
【００２７】
【図１】周知のＰＩＤ（Ｐｓｅｕｄｏ  Ｉｍｐｕｌｓｅ  Ｄｒｉｖｅ；ＰＩＤ）の表示図である。
【図２】周知のＰＩＤ（Ｐｓｅｕｄｏ  Ｉｍｐｕｌｓｅ  Ｄｒｉｖｅ；ＰＩＤ）の表示図である。
【図３】周知のＰＩＤ（Ｐｓｅｕｄｏ  Ｉｍｐｕｌｓｅ  Ｄｒｉｖｅ；ＰＩＤ）の表示図である。
【図４】本発明の駆動回路の駆動方法の表示図である。
【図５】本発明の駆動回路の駆動方法の表示図である。
【図６】本発明の駆動回路の駆動方法の表示図である。
【図７】本発明の別の駆動回路の駆動方法の表示図である。
【図８】本発明の暗調整信号のデータドライバへの入力表示図である。
【図９】本発明の暗調整信号のデータドライバへの入力表示図である。
【符号の説明】
【００２８】
１０  正常なイメージ画像
２０  フルブラックのイメージ画像
３０  暗調整されたイメージ画像
７０  データドライバ
８０  デジタル／アナログ変換器
８２  データ記録器
【図１】
2006047750.tif 000003
【図２】
2006047750.tif 000004
【図３】
2006047750.tif 000005
【図４】
2006047750.tif 000006
【図５】
2006047750.tif 000007
【図６】
2006047750.tif 000008
【図７】
2006047750.tif 000009
【図８】
2006047750.tif 000010
【図９】
2006047750.tif 000011